(57)【要約】【課題】吸い出されずに容器内に残る液体の量を効果的に低減可能なポンプディスペンサー及び吐出容器を提供すること。【解決手段】液体が収容される容器１０に装着されて使用されるポンプディスペンサー３０であって、ポンプ部３１と、ポンプ部３１より下方に延出する吸上げ筒部３５と、ポンプ部３１が吸上げ筒部３５を介して吸い上げた液体を容器１０外に吐出させる吐出口３６ｂとを有しており、吸上げ筒部３５は、吸上げ筒部３５の下端側に設けられた下方吸込口４０と、吸上げ筒部３５の上端側に設けられた上方吸込口５０とを有しており、上方吸込口５０は、吸上げ筒部３５の周方向の１箇所又は互いに対向する２箇所に設けられており、且つ吸上げ筒部３５の軸方向Ｚにおける長さＬｚが周方向の長さＬｃよりも長い縦長の形状を有している。【選択図】図２
2020121762.tif 000002
【特許請求の範囲】
【請求項１】
液体が収容される容器に装着されて使用されるポンプディスペンサーであって、
ポンプ部と、該ポンプ部より下方に延出する吸上げ筒部と、該ポンプ部が該吸上げ筒部を介して吸い上げた液体を容器外に吐出させる吐出口とを有しており、
前記吸上げ筒部は、該吸上げ筒部の下端側に設けられた下方吸込口と、該吸上げ筒部の上端側に設けられた上方吸込口とを有しており、
前記上方吸込口は、前記吸上げ筒部の周方向の１箇所又は互いに対向する２箇所に設けられており、且つ該吸上げ筒部の軸方向における長さが周方向の長さよりも長い縦長の形状を有している、ポンプディスペンサー。
【請求項２】
前記吸上げ筒部の横断面において、該吸上げ筒部の周方向における前記上方吸込口の両端それぞれと該吸上げ筒部の中心とを結ぶ２本の仮想直線どうしがのなす角が、２０度以下である、請求項１に記載のポンプディスペンサー。
【請求項３】
前記ポンプ部は、シリンダ部と、手動操作部と連動して上下動するピストン部と、上部及び下部逆止弁とを備え、
前記ポンプディスペンサーは、前記シリンダ部の構成部材が、前記下部逆止弁より下方に延在して形成された筒状接続部と、該筒状接続部の下部に接続されたディップチューブとを有しており、前記筒状接続部に前記上方吸込口が形成されている、請求項１又は２に記載のポンプディスペンサー。
【請求項４】
請求項１〜３の何れか１項に記載のポンプディスペンサーと、液体が収容される前記容器とを備えた吐出容器。
【請求項５】
前記容器は、柔軟なシート材からなる内容器と、該内容器が内部に配された外容器とを有する二重容器であり、該内容器は、前記ポンプディスペンサーによる液体の吸い上げ時に、内部に内容器外の空気が流入しない空気非置換型の容器である、請求項４に記載の吐出容器。
【請求項６】
前記容器は、前記ポンプディスペンサーによる液体の吸い上げ時に、内部に該容器外の空気が流入しない空気非置換型の容器である、請求項４に記載の吐出容器。
【発明の詳細な説明】
【技術分野】
【０００１】
本発明は、ポンプディスペンサー及びそれを備えた吐出容器に関する。
【背景技術】
【０００２】
ポンプディスペンサーは、内容液を容器から汲み上げて吐出させる公知の吐出具であり、ポンプハウジング、吸上げ筒部、ノズルヘッド等を備えている。ポンプディスペンサーとしては、空気置換によることなく内容液を汲み上げることができるものが知られている（例えば、特許文献１）。このようなポンプディスペンサーを、軟質の柔らかいシート材料を用いて形成された容器に装着して使用した場合、該容器は、内容液が吐出されて減少して行くのに伴って、潰れてゆくことになる。このようなポンプディスペンサーにおいては、容器が潰れたときに、該容器が吸上げ筒部の先端に設けられた吸引孔に密着し、該吸引孔が閉塞され、該容器の内部には内容液が残留しているにも関わらず、内容液を吸引することができなくなってしまう場合がある。
【０００３】
特許文献１には、ポンプディスペンサーの吸引管の上端近傍の側壁部分及び下端近傍の側壁部分の各々に液体吸引孔を設け、液体容器に充填された液体の略全量を使い切ることができるようにする技術が開示されている。
また特許文献２には、容器の内部に入れられた合成樹脂からなる液体収納袋に上方より突き刺すための吸い込み用チューブを持つ液体取り出し部材が記載されている。特許文献２には、吸い込み用チューブの外周に吸い込み口を形成するとともに、吸い込み用チューブの下端を閉じることにより、液体収納袋内部の残りの液体が少なくなっても、吸い込み用チューブの外周に形成された吸い込み口から液体収納袋内部の液体を最後まで取り出すことができるようにする技術が開示されている。
【先行技術文献】
【特許文献】
【０００４】
【特許文献１】特開２０１２−２４５９９３号公報
【特許文献２】特開平７−８９５６７号公報
【発明の概要】
【発明が解決しようとする課題】
【０００５】
特許文献１に記載のポンプディスペンサーは、吸引管の上端側及び下端側に吸込口を有することにより、容器内に残る液量の低減が可能であるが、容器内に残る液量の一層の低減が望まれる。容器内に残る液量の低減の観点からは、上端側の吸込口の開口が、ある程度の面積を有する方が好ましいと考えられる。しかし、本発明者の検討の結果、吸上げ筒部の下端側及び上端側に吸込口を設けたポンプディスペンサーにおいて、例えば、図６に示すように、上端側の上方吸込口７０を円形状とし、その開口の面積を大きくした場合には、下端側の吸込口の吸込力が大幅に低下し、結果として、容器内に残る液量の一層の低減は困難であることが判明した。
特許文献２に記載の液体取り出し部材は、吸い込み用チューブの先端が閉鎖されているため、液体取り出し部材を液体収納袋に突き刺した状態で容器本体を倒立させたときに、液体収納袋内の液体取り出し口から遠い部分に液体が残っていると、該液体を取り出すことが困難となる。
【０００６】
本発明の課題は、前述した従来技術が有する欠点を解消し得るポンプディスペンサー及び吐出容器を提供することにある。
【課題を解決するための手段】
【０００７】
本発明は、液体が収容される容器に装着されて使用されるポンプディスペンサーであって、ポンプ部と、該ポンプ部より下方に延出する吸上げ筒部と、該ポンプ部が該吸上げ筒部を介して吸い上げた液体を容器外に吐出させる吐出口とを有しており、前記吸上げ筒部は、該吸上げ筒部の下端側に設けられた下方吸込口と、該吸上げ筒部の上端側に設けられた上方吸込口とを有しており、前記上方吸込口は、前記吸上げ筒部の周方向の１箇所又は互いに対向する２箇所に設けられており、且つ該吸上げ筒部の軸方向における長さが周方向の長さよりも長い縦長の形状を有している、ポンプディスペンサーを提供するものである。
【０００８】
また本発明は、前記ポンプディスペンサーと、液体が収容される前記容器とを備えた吐出容器を提供するものである。
【発明の効果】
【０００９】
本発明のポンプディスペンサー及び吐出容器によれば、吸い出されずに容器内に残る液体の量を効果的に低減可能である。
【図面の簡単な説明】
【００１０】
【図１】図１は、本発明の吐出容器の一実施形態を示す縦断面図である。
【図２】図２は、図１に示す吐出容器が備えるポンプディスペンサーの吸上げ筒部の要部の拡大図であり、（ａ）は、吸上げ筒部の側面図であり、（ｂ）は、（ａ）のＩ−Ｉ線断面図であり、（ｃ）は、（ａ）のＩＩ−ＩＩ線断面図であり、上方吸込口に容器を構成する軟質のシート材が密着した状態を示す図である。
【図３】図３は、図１に示す吐出容器の容器内の液体が減少した状態を示す図であり、該吐出容器の倒立状態を示す断面図である。
【図４】図４は、図１に示す吐出容器の容器内の液体が更に減少した状態を示す図であり、該吐出容器の倒立状態を示す断面図である。
【図５】図５は、本実施形態のポンプディスペンサーの変形例の要部を示す図であり、図２（ｂ）相当図である。
【図６】図６は、従来のポンプディスペンサーの吸上げ筒部の要部の拡大図であり、（ａ）は、吸上げ筒部の側面図であり、（ｂ）は、（ａ）のＩＩＩ−ＩＩＩ線断面図であり、（ｃ）は、（ａ）のＩＶ−ＩＶ線断面図であり、吸込口に容器が密着した状態を示す図である。
【発明を実施するための形態】
【００１１】
以下に、本発明をその好ましい実施形態に基づいて説明する。
図１に示す吐出容器１００は、本発明の吐出容器の一実施形態であり、ポンプディスペンサー３０と、液体が収容される容器１０とを備えている。吐出容器１００が備えるポンプディスペンサー３０は、本発明のポンプディスペンサーの一実施形態である。ポンプディスペンサー３０は、図１に示すように、容器１０に装着されて使用される。
【００１２】
本実施形態の吐出容器１００では、容器１０は、柔軟なシート材からなる内容器１２と、該内容器１２が内部に配された外容器１１とを有する二重容器であり、内容器１２内の内容物の量が減少すると内容器１２の内容積が減少する。また内容器１２の内容積に伴い、図示しない外気の取り込み口から、外容器１１と内容器１２との間の空間内に容器外の空気が流入する。このような容器１０としては、例えば公知のデラミ容器を用いることができる。
【００１３】
内容器１２は、柔軟なシート材により形成されている。柔軟なシート材としては、ポリプロピレン樹脂、ポリエチレン樹脂といったポリオレフィン樹脂等からなる合成樹脂製のフィルム材シート、合成樹脂製のフィルムとアルミニウム等の金属との積層体からなるフィルム材シート、或いは合成樹脂製のフィルムにアルミニウム等の金属を蒸着したフィルム材シート等が挙げられる。これらは一種を単独で又は複数を組み合わせて使用することができる。内容器１２は、一枚のシート材から袋状に形成されていても良いし、複数枚のシート材を袋状となるように接合して形成されていても良い。
【００１４】
本発明に係る容器や吐出容器に収容される液体（内容液）は、特に制限されず、多様な目的の液体が挙げられる。内容液としては、例えば、シャンプー、コンディショナー、リンス、ヘアトリートメント等の液状のヘアケア剤、ボディソープやハンドソープ等の液体石鹸、衣類や食器用の液体洗剤、柔軟剤や漂白剤、口腔内や目の洗浄剤、バストイレや床洗浄用の液体洗浄剤、液状の化粧品、液状の医薬品等が挙げられるが、本発明のポンプディスペンサー及び吐出容器は、特にシャンプー、コンディショナー、リンス、ヘアトリートメント等の液状のヘアケア剤およびボディソープ等の液体石鹸等、粘度の高い液体に対して有効である。
【００１５】
内容器１２の上端部には、ポンプディスペンサー３０が装着されている。内容器１２は、その内部が気密に保たれており、ポンプディスペンサー３０による液体の吸い上げ時に、内部に内容器１２外の空気が流入しない空気非置換型の容器となっている。内容器１２の上端部にポンプディスペンサー３０を装着する手段は特に制限されるものではなく、各種公知の手段を用いることができる。
【００１６】
図１に示す例においては、外容器１１は、上端に開口部を有する口首部１３ａを上部に備えた筒状胴部１３と、筒状胴部１３の底面部を閉塞する底部１４とを含んで構成されている。筒状胴部１３は、全周に亘って連続しており、外容器１１の内部に配された内容器１２は、筒状胴部１３によって覆われている。筒状胴部１３の口首部１３ａに、装着キャップ部３９を介して、ポンプディスペンサー３０が取り付けられている。外容器１１にポンプディスペンサー３０を取り付ける手段は特に制限されるものではなく、各種公知の手段を用いることができる。内容器１２は、口首部１３ａの内周面に、開口部の周囲が、融着、接着剤等の公知の手法により接合されている。
外容器１１は、例えばＰＰ（ポリプロピレン）、ＡＢＳ（アクリロニトリル・ブタジエン・スチレン共重合合成樹脂）、アクリル、ポリエステル、ＰＣＴ（ポリシクロへキシレン・ジメチレン・テレフタレート）、ＳＡＮ（スチレンアクリロニトリルコポリマー）等の合成樹脂からなることが好ましく、合成樹脂の射出成形品であることが好ましい。
【００１７】
本実施形態におけるポンプディスペンサー３０は、ポンプ部３１と、吸上げ筒部３５と、押圧操作部３６とを有している。押圧操作部３６は、手動操作部の好ましい一例であり、手で押し下げることにより、ポンプ部３１内のピストン部３７を押し下げることができ、手を離すか押す力を弱めると、付勢手段３８の作用によりピストン部３７と共に上昇する。ポンプ部３１は、吸上げ筒部３５を介して、液を吸い上げ可能であり、吸い上げた液を、吐出口３６ｂに向けて送液可能であり、公知のポンプディスペンサーに採用されている各種公知のものを用いることができる。
【００１８】
本実施形態におけるポンプ部３１は、シリンダ部３２と、押圧操作部３６と連動して上下動するピストン部３７と、上部及び下部逆止弁６１，６２とを有している。ポンプ部３１は、コイルバネからなる付勢手段３８を有している。シリンダ部３２は、筒状の外殻体３を有している。ピストン部３７は、下端部がシリンダ部３２の内部に配されている。ピストン部３７の内部には、縦方向吐出流路３７ａが形成されている。押圧操作部３６の内部には、横方向吐出流路３６ａが形成されており、横方向吐出流路３６ａの一方の端部が吐出口３６ｂとなっている。ピストン部３７は、縦方向吐出流路３７ａが押圧操作部３６の横方向吐出流路３６ａと連通するように、押圧操作部３６に一体として接続されている。
【００１９】
上部逆止弁６１は、球状のボール弁であり、ピストン部３７の縦方向吐出流路３７ａに形成された上部弁座部６１ａの上面に着座して、上部弁座部６１ａを閉塞する。上部逆止弁６１は、押圧操作部３６を押し下げて、ピストン部３７によりポンプ部３１の内部が加圧されたときに、上部弁座部６１ａから離反し、シリンダ部３２の内部と横方向吐出流路３６ａとを連通させる。また上部逆止弁６１は、押し下げられた押圧操作部３６が、付勢手段３８により復動して上昇し、ポンプ部３１の内部が減圧されたときに、上部弁座部６１ａに着座して、シリンダ部３２の内部と横方向吐出流路３６ａとの連通を遮断する。
【００２０】
下部逆止弁６２は、円板形状を有しており、シリンダ部３２の内部に形成された下部弁座部６２ａの上面に着座して、下部弁座部６２ａを閉塞する。下部逆止弁６２は、ポンプ部３１の内部が加圧されたときに、下部弁座部６２ａの上面に着座して、シリンダ部３２の下端開口部３２ａを閉塞した状態に維持し、ポンプ部３１の内部が減圧されたときに、下部弁座部６２ａから離反し、シリンダ部３２の下端開口部３２ａを開放する。これにより、ポンプ部３１を加圧したときに、ポンプ部３１内の液体は、シリンダ部３２の下端開口部３２ａを通して内容器１２内に戻ることが規制され、ポンプ部３１を減圧したときに内容器１２内の液体は、シリンダ部３２の下端開口部３２ａを通してポンプ部３１内に流入することができる。
【００２１】
吸上げ筒部３５は、ポンプ部３１よりも下方に延出する部分であり、より具体的には、下部逆止弁６２の位置より下方に位置している。吸上げ筒部３５は、内部が中空の筒状形状、好ましくは中空の円筒形状を有しており、吸上げ筒部３５の内部はシリンダ部３２の下端開口部３２ａと連通している。ポンプ部３１は、吸上げ筒部３５を介して容器１０内の液体を吸い上げ、該液体を吐出口３６ｂから容器１０外へ吐出することができるようになっている。本明細書において、吐出容器や、ポンプディスペンサー等のその構成部材に関し、上方又は上側は、図１に示すように、ポンプディスペンサーを容器に取り付けた状態とした吐出容器を、該ポンプ部の軸方向を鉛直方向（重力方向）と平行とし、該ポンプ部のポンプディスペンサーが容器から吐出する側を鉛直方向の上側に位置させたときの鉛直方向の上方又は上側である。吐出容器は、自立可能でも自立不可能でも良い。
【００２２】
吸上げ筒部３５は、シリンダ部３２の構成部材である外殻体３が、下部逆止弁６２の位置よりも下方に延出して形成された筒状接続部３３と、筒状接続部３３の下部に接続されたディップチューブ３４とを備えている。筒状接続部３３とディップチューブ３４とは別体となっている。筒状接続部３３は、内側に向かって突出した係止リブ３３ａを有しており、筒状接続部３３にディップチューブ３４を接続したときに、ディップチューブ３４の上端が係止リブ３３ａの下面に係止されるようになっている。
【００２３】
吸上げ筒部３５は、下端側に設けられた下方吸込口４０と、上端側に設けられた上方吸込口５０とを有している。下方吸込口４０は、吸上げ筒部３５の下端、即ちディップチューブ３４の下端が開口して設けられている。上方吸込口５０は、図１及び図２に示すように、筒状接続部３３の周方向の１箇所が開口して設けられている。上方吸込口５０は、開口面５０ａを有している。開口面５０ａは、上方吸込口５０の前記周方向における一端５１と他端５２とを通り、吸上げ筒部３５の軸方向Ｚに平行な面を意味する（図２（ｂ）参照）。
【００２４】
上方吸込口５０は、図２（ａ）に示すように、吸上げ筒部３５の軸方向Ｚにおける長さＬｚが周方向の長さＬｃよりも長い縦長の形状を有している。上方吸込口５０の前記軸方向Ｚにおける長さＬｚとは、上方吸込口５０の前記軸方向Ｚにおける両端を結ぶ線分の長さを意味する（図２（ａ）参照）。上方吸込口５０の前記周方向の長さＬｃとは、上方吸込口５０の前記周方向における一端５１と他端５２とを結ぶ線分の長さを意味する（図２（ａ）及び（ｂ）参照）。
【００２５】
本実施形態の吐出容器１００によれば、例えば、図１に示すように、吐出容器１００を正立状態で使用したときに、容器１０内の液体をポンプディスペンサー３０によって吐出することができる。また、例えば、図３に示すように、吐出容器１００を倒立状態で使用したときであっても、容器１０内の液体をポンプディスペンサー３０によって吐出することができる。図３中の上側は、吐出容器１００及びその構成部材における下側であり、図３中の下側は、吐出容器１００及びその構成部材における上側である。
【００２６】
吐出容器１００を倒立状態にしたときは、ポンプディスペンサー３０の押圧操作部３６側に容器１０内の液体が移動し、容器１０内の液体と、吸上げ筒部３５の下端側の下方吸込口４０とが離れてしまうため、下方吸込口４０により容器１０内の液体を吸い込むことは難しい。しかし、吸上げ筒部３５の上方吸込口５０は、押圧操作部３６側に移動した容器１０内の液体の近くに位置しており、上方吸込口５０により容器１０内の液体を吸い込み易くなっているため、吐出容器１００が倒立状態であっても、ポンプディスペンサー３０により液体が吐出され易い。
【００２７】
ポンプディスペンサー３０の押圧操作部３６を押し下げ、吸上げ筒部３５により容器１０内の液体を吸い込み、吐出口３６ｂから吐出するに伴って、内容器１２は減容変形する。このとき、上方吸込口５０が容器１０内の液体を吸い込むにつれて、内容器１２の内壁が上方吸込口５０に吸引される。吐出容器１００の使用を継続し、更に容器１０内の液体が減少したときには、図４に示すように、内容器１２の内壁が上方吸込口５０に密着する。上方吸込口５０は、吸上げ筒部３５の軸方向Ｚにおける長さＬｚが周方向の長さＬｃよりも長い縦長の形状を有しているため、図２（ｃ）に示すように、吸上げ筒部３５の外周面における上方吸込口５０の直上又は直下の部分と、上方吸込口５０の開口面５０ａとの距離Ｄを小さくすることができる。したがって、内容器１２の内壁が上方吸込口５０に密着したときに、内容器１２の内壁の変形量を小さくすることができ、内容器１２の内壁と上方吸込口５０との間に隙間が生じ難く、内容器１２の内壁により上方吸込口５０を閉塞し易くなっている。内容器１２の内壁が上方吸込口５０を閉塞されると、下方吸込口４０から容器１０内の液体を吸い込み易くなるため、容器１０内の液体が少なくなった場合であっても、液体を吐出し易い。
本実施形態のポンプディスペンサー３０及び吐出容器１００によれば、このような作用により、容器１０内に残る液体の量を効率よく低減させることが可能であり、液体を最後まで取り出すことも容易となる。
【００２８】
これに対して、図６に示すように、上方吸込口７０を円形状とし、その開口の面積を大きくすると、上方吸込口７０は、吸上げ筒部８０の周方向における長さＬｃが長くなる。上方吸込口７０の前記周方向の長さＬｃとは、上方吸込口７０の前記周方向における一端７１と他端７２とを結ぶ線分の長さである（図６（ａ）及び（ｂ）参照）。上方吸込口７０が周辺の液を吸い込み、容器９０の内壁が上方吸込口７０に吸い寄せられたときに、上方吸込口７０よりも軸方向Ｚにおける上側又は下側に位置する容器９０の内壁は、吸上げ筒部８０に密着するのに対し、上方吸込口７０の開口面７０ａに対応する位置に位置する容器９０の内壁は、上方吸込口７０に吸い込まれるように変形する。このとき、上方吸込口７０の前記周方向の長さＬｃが長いと、吸上げ筒部８０の外周面における上方吸込口７０の直上又は直下の部分と、上方吸込口７０の開口面７０ａとの距離Ｄが大きくなってしまうため、容器９０の内壁の変形量が大きくなってしまい、容器９０の内壁と上方吸込口７０との間に隙間ができやすくなり、容器の内壁が吸込口を完全に塞ぐことが難しくなってしまう（図６（ｃ）参照）。開口面７０ａとは、上方吸込口７０の前記周方向における一端７１と他端７２とを通り、吸上げ筒部８０の軸方向Ｚに平行な面を意味する。吸上げ筒部８０の上方吸込口７０が完全に塞がれない場合、吸上げ筒部の下方吸込口が内容液を吸い込み難くなってしまい、結果として、内容液を最後まで吸い出すことが難しくなる。
【００２９】
上方吸込口５０は、内容器１２の内壁と上方吸込口５０との密着性を高めて、下方吸込口４０からの吸込力を確実に生じさせる観点から、吸上げ筒部３５の周方向における幅が小さいことが好ましい。具体的には、吸上げ筒部３５の横断面において、該吸上げ筒部３５の周方向における上方吸込口５０の両端５１，５２それぞれと該吸上げ筒部３５の中心Ｍとを結ぶ２本の仮想直線Ｒ１，Ｒ２どうしのなす角α（図２（ｂ）参照）、より詳細には、吸上げ筒部３５の周方向における一端５１と該吸上げ筒部３５の中心Ｍとを結ぶ仮想直線Ｒ１と、該吸上げ筒部３５の周方向における該上方吸込口５０の他端５２と該吸上げ筒部の中心Ｍとを結ぶ仮想直線Ｒ２とのなす角α（図２（ｂ）参照）が、好ましくは２０度以下であり、より好ましくは１５度以下である。また上方吸込口５０より内容液を確実に吸入させる観点から、前記なす角αは、好ましくは５度以上であり、より好ましくは１０度以上である。また内容器１２の内壁と上方吸込口５０との密着性を高めて、下方吸込口４０からの吸込力を確実に生じさせる観点及び上方吸込口５０より内容液を確実に吸入させる観点から、なす角α（図２（ｂ）参照）は、好ましくは５度以上２０度以下であり、より好ましくは１０度以上１５度以下である。
【００３０】
また上方吸込口５０は、内容器１２の内壁と上方吸込口５０との密着性を高めて、下方吸込口４０からの吸込力を確実に生じさせる観点から、吸上げ筒部３５の軸方向Ｚにおける長さＬｚが、周方向の長さＬｃに対して、好ましくは２倍以上、より好ましくは５倍以上であり、また好ましくは２０倍以下、より好ましくは１０倍以下であり、また好ましくは２倍以上２０倍以下、より好ましくは５倍以上１０倍以下である。
【００３１】
上方吸込口５０は、ポンプディスペンサー３０の内容器１２内に配される部分の長手方向の長さＨを２等分する中間位置Ｃよりも上方に位置することが好ましく、下方吸込口４０は、前記中間位置Ｃよりも下方に位置することが好ましい。また、上方吸込口５０は、吸上げ筒部３５の下端から上方吸込口５０の高さ方向中心までの距離Ｈ１が、ポンプディスペンサー３０の内容器１２内に配される部分の長手方向の長さＨの、好ましくは５０％以上、より好ましくは６０％以上であり、また好ましくは９０％以下、より好ましくは７０％以下であり、また好ましくは５０％以上９０％以下であり、６０％以上７０％以下である。下方吸込口４０は、吸上げ筒部３５の下端から下方吸込口４０の高さ方向中心までの距離が、ポンプディスペンサー３０の内容器１２内に配される部分の長手方向の長さＨの、好ましくは２０％以下、より好ましくは５％以下であり、また好ましくは０％以上、より好ましくは２％以上であり、また好ましくは２０％以下０％以上であり、５％以下２％以上である。
【００３２】
吸上げ筒部３５は、筒状接続部３３とディップチューブ３４とからなり、上方吸込口５０は、ディップチューブ３４が接続される筒状接続部３３に形成されている。そのため、例えば、筒状接続部３３に接続するディップチューブ３４の長さを変更することにより、吸上げ筒部３５の長さが異なるポンプディスペンサー３０を製造することも容易であり、例えば、装着する容器の高さに応じた長さの筒状接続部３３を備えたポンプディスペンサー３０を短時間に製造すること等も容易である。なお、ディップチューブ３４は、シリンダ部３２の外殻体３を構成する合成樹脂よりも軟質の合成樹脂から形成することが、ディップチューブ３４に可撓性を付与したり、切断による長さを調整とする観点等から好ましい。
【００３３】
本実施形態では、ポンプディスペンサー３０が装着された容器１０は、内容器１２と外容器１１とを有する二重容器となっている。そのため、外容器１１が、ポンプディスペンサー３０の押圧操作部３６を押し下げたときの力を支持できるようになっている。したがって、本実施形態では、例えば、吐出容器１００を載置面に置いた状態で、片手で押圧操作部３６を押し下げることにより、容器１０内の液体を吐出させることができるようになっている。
【００３４】
本発明のポンプディスペンサー及び吐出容器は、上述した実施形態に制限されず、適宜変更可能である。
例えば、本実施形態の吐出容器１００では、容器１０は、内容器１２と外容器１１とからなる二重容器となっているが、容器１０は、外容器１１を有している必要は必ずしもなく、内容器１２のみからなるものであってもよい。容器１０が内容器１２のみからなる場合は、例えば、内容器１２を手で把持することにより、ポンプディスペンサー３０の押圧操作部３６を押し下げたときの力を支持してもよい。容器１０を内容器１２のみからなるものとすることにより、吐出容器１００の製造工程を簡略化したり、製造コストを低下させたりすることができる。内容器１２のみからなる容器１０も、ポンプディスペンサー３０による液体の吸い上げ時に、内部に容器外の空気が流入しない空気非置換型の容器であることが好ましい。内容器１２のみからなる容器１０としては、例えば、特開２０１４−１９３５６６号公報に記載のスパウト付パウチ容器、特開２０１８−０８７０２３号公報に記載のスパウト付パウチ容器等を用いることもできる。
【００３５】
また本実施形態のポンプディスペンサー３０では、上方吸込口５０は、吸上げ筒部３５の上端側の１箇所に設けられているが、上方吸込口５０は、図５に示すように、吸上げ筒部３５の上端側の互いに対向する２箇所に設けられていてもよい。上方吸込口５０が、２箇所に設けられている場合、２つの上方吸込口５０，５０どうしは、同一の形状であってもよいし、異なる形状であってもよいが、同一の形状であることが好ましい。また２つの上方吸込口５０，５０は、互いの開口面５０ａ，５０ａの中心点５３，５３どうしが、吸上げ筒部３５の中心軸ＣＬを中心点として点対称の位置に位置していることが好ましい。
【００３６】
尚、容器１０が減容変形したときには、容器１０に、軸方向Ｚに沿う方向に延びる皺が生じ易い。上方吸込口５０を３つ以上設けた場合、該皺を有する容器１０の内壁が、複数の上方吸込口５０の何れかに密着する可能性が高くなり、上方吸込口５０と容器１０の内壁との間に隙間が生じ易くなってしまう。したがって、上方吸込口５０は、１つ又は２つ設けることが好ましい。
【００３７】
また本実施形態の吐出容器１００では、外容器１１の筒状胴部１３は、全周に亘って連続しているが、全周に亘って連続していなくてもよい。つまり、外容器１１は、内部に配された内容器１２を完全に覆うものである必要は必ずしもなく、一部が欠けていたり、開口を有していたりしてもよい。また外容器１１は、底部１４を有している必要は必ずしもなく、筒状胴部１３の底面部は開口部となっていてもよい。
【００３８】
また内容器１２は、複数のシート材から形成されていてもよい。また内容器１２は縦長筒形状であってもよいし、ガセット形状であってもよい。
【００３９】
また本実施形態のポンプディスペンサー３０では、上方吸込口５０は、側面視して矩形形状を有しいているが、上方吸込口５０の側面視形状はこれに限られるものではなく、軸方向Ｚに長い形状の、楕円形状、多角形形状等であってもよい。
【００４０】
また本実施形態のポンプディスペンサー３０では、下方吸込口４０は吸上げ筒部３５の下端が開口して設けられているが、下方吸込口４０は吸上げ筒部３５の下端側の側壁が開口して設けられていてもよい。また下方吸込口４０は複数設けられていてもよい。
【００４１】
また本実施形態のポンプディスペンサー３０では、筒状接続部３３とディップチューブ３４とが別体となっているが、筒状接続部３３とディップチューブ３４とは一体として形成されていてもよい。また手動操作部は、押圧操作部３６に代えて、指でレバーを引き寄せるトリガータイプの操作部であってもよい。またポンプ部は、電動モータにより駆動されるギアやスクリュー等により液体を吸い上げる電動式のポンプ部であっても良い。
【００４２】
また吸上げ筒部３５の横断面形状は、円形状であることが好ましいが、円形状に制限されず、楕円形状、正方形形状、長方形形状、多角形形状等であってもよい。長軸の長さが短軸の長さの１．２倍未満の楕円は、円形状とする。楕円は、長軸の長さが短軸の長さの１．２倍以上３．０倍以下が好ましい。
【符号の説明】
【００４３】
１００  吐出容器
１０  容器
１１  外容器
１２  内容器
３０  ポンプディスペンサー
３１  ポンプ部
３２  シリンダ部
３３  筒状接続部
３４  ディップチューブ
３５，８０  吸上げ筒部
３６  押圧操作部（手動操作部）
３６ｂ  吐出口
３７  ピストン部
３８  付勢手段
３９  装着キャップ部
４０  下方吸込口
５０  上方吸込口
６１  上部逆止弁
６２  下部逆止弁
【図１】
2020121762.tif 000003
【図２】
2020121762.tif 000004
【図３】
2020121762.tif 000005
【図４】
2020121762.tif 000006
【図５】
2020121762.tif 000007
【図６】
2020121762.tif 000008